【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
乗物内に設置される案内システムにおいて、
当該乗物内の各座席の予約情報を記憶している記憶手段と、
この記憶手段により予約情報が記憶されている各座席の着席状況を検知する検知手段と、
前記記憶手段に記憶されている予約情報と前記検知手段に検知された着席状況とに基づいて、各座席の予約状況と着席状況とを判断する判断手段と、
前記乗物内に設置され、前記判断手段により判断された各座席の状況に応じた表示内容を表示する表示手段と、
を具備することを特徴とする案内システム。
【請求項２】
前記表示手段は、前記乗物内の各座席ごとに設置されている、ことを特徴とする上記請求項１に記載の案内システム。
【請求項３】
前記表示手段は、当該座席の予約情報と着席状況とに基づき、予約無しで着席無しの場合の表示パターン、予約無しで着席有りの場合の表示パターン、予約有りで着席無しの場合の表示パターン、及び、予約有りで着席有りの場合の表示パターンを、それぞれの場合が区別できるように表示する、ことを特徴とする上記請求項１に記載の案内システム。
【請求項４】
乗物内に設置される案内システムにおいて、
当該乗物内の各座席の予約情報を記憶している記憶手段と、
この記憶手段により予約情報が記憶されている各座席の着席状況を検知する検知手段と、
当該乗物に乗車した乗客が所持している券に記録されている情報を読み取る読取手段と、
前記記憶手段に記憶されている予約情報と前記検知手段に検知された着席状況と前記読取手段により乗客が所持している券から読取った情報とに基づいて、各座席における予約状況と着席状況と乗客の当該乗物への乗車の有無とを判断する判断手段と、
前記乗物内に設置され、前記判断手段により判断された各座席の状況に応じた表示パターンを表示する表示手段と、
を具備することを特徴とする案内システム。
【請求項５】
前記表示手段は、当該座席の予約情報と着席状況とに基づき、予約無しで着席無しの場合の表示パターン、予約無しで着席有りの場合の表示パターン、予約有りで着席無しで乗車確認が済みである場合の表示パターン、予約有りで着席無しで乗車確認が済みでない場合の表示パターン、及び、予約有りで着席有りの場合の表示パターンを、それぞれの場合が区別できるように表示することを特徴とする上記請求項４に記載の案内システム。
【請求項６】
乗物内に設置される案内システムにおいて、
当該乗物内の各座席の予約情報を記憶している記憶手段と、
当該乗物に乗車した乗客が所持している券に記録されている情報を読み取る読取手段と、
この読取手段により乗客が所持している券から読取った情報と前記記憶手段に記憶している予約情報とに基づいて、当該乗客が所持している券により乗車可能な座席の位置を案内する案内手段と、
を具備することを特徴とする案内システム。
【請求項７】
乗物内に設置される案内システムにおいて、
当該乗物内の各座席の予約情報を記憶している記憶手段と、
この記憶手段により予約情報が記憶されている各座席の着席状況を検知する検知手段と、
当該乗物に乗車した乗客が所持している券に記録されている情報を読み取る読取手段と、
この読取手段により乗客が所持している券から読取った情報と前記記憶手段に記憶している予約情報とに基づいて、当該乗客が所持している券により乗車可能な座席の位置を案内する案内手段と、
当該乗物内の各指定席にそれぞれ設置され、前記読取手段により座席指定券の情報を読取った場合、当該指定席の座席指定券を所持する乗客が乗車済みであることを示す案内を表示する表示手段と、
を具備することを特徴とする案内システム。
【請求項８】
乗物内に設置される案内システムにおいて、
当該乗物内の各座席の予約情報を記憶している記憶手段と、
前記記憶手段により予約情報が記憶される各座席の着席状況を検知する検知手段と、
前記記憶手段に記憶されている予約情報と前記検知手段に検知された座席の着席状況とに基づいて、各座席の予約状況と着席状況とを判断する判断手段と、
この判断手段により判断された各座席の状況を表示する表示手段と、
を具備することを特徴とする案内システム。
【請求項９】
乗物内に設置される案内システムにおいて、
当該乗物内の各座席の予約情報を記憶している記憶手段と、
前記記憶手段により予約情報が記憶される各座席の着席状況を検知する検知手段と、
前記記憶手段に記憶されている予約情報と前記検知手段に検知された座席の着席状況とに基づいて、各座席の予約状況と着席状況とを判断する判断手段と、
この判断手段により判断された各座席の状況を表示する表示手段と、
この表示手段により表示された各座席の状況に基づいて、当該乗物内の座席指定券を発券する発券手段と、
この発券手段により座席指定席を発券する際に、前記記憶手段に記憶している予約情報を更新する更新手段と、
を具備することを特徴とする案内システム。
【請求項１０】
乗物内に設置される案内システムにおいて、
時間を計時するタイマと、
当該乗物内の各座席にそれぞれ設置され、着席している乗客に伝わる振動を発生する振動手段と、
この振動手段が設置されている座席ごとに振動を発生させる時間を設定する設定手段と、
この設定手段により振動を発生させる時間が設定されている場合、前記タイマが計時する時間に基づいて前記設定手段にて設定されている時間に達したか否かを監視する監視手段と、
この監視手段により前記設定手段にて設定された時間に達したと判断した場合、当該座席に設置された前記振動手段により振動を発生させる制御手段と、
を具備することを特徴とする案内システム。
【請求項１１】
乗物内に設置される案内システムにおいて、
時間を計時するタイマと、
前記乗物内の各座席にそれぞれ設置され、着席している乗客に伝わる振動を発生する振動手段と、
この振動手段が設置されている各座席の予約情報を記憶している記憶手段と、
前記振動手段が設置されている各座席の着席状況を検知する検知手段と、
前記記憶手段に記憶されている予約情報と前記検知手段に検知された座席の着席状況とに基づいて、座席に予約者が着席したか否かを判断する判断手段と、
この判断手段により予約者が着席したと判断した場合、前記予約者の予約情報から判定される降車駅の到着時刻に基づいて前記振動手段が設置されている各座席ごとに振動を発生させる時間を設定する設定手段と、
この設定手段により振動を発生させる時間が設定されている場合、前記タイマが計時する時間が前記設定手段にて設定されている時間に達したか否かを監視する監視手段と、
この監視手段により前記設定手段にて設定された時間に達したと判断した場合、当該座席に設置された前記振動手段にて振動を発生させる制御手段と、
を具備することを特徴とする案内システム。
【請求項１２】
乗物外に設けられる乗物外システムと乗物内に設置される乗物内システムとから構成される案内システムにおいて、
前記乗物外システムは、
前記乗物外で発券された座席指定券の情報を収集する収集手段と、
この収集手段により収集された座席指定券の情報に基づいて、各乗物ごとの予約情報を記憶する第１の記憶手段と、
各駅で発券された座席指定券に基づいて、各乗物ごとの予約情報を記憶する第１の記憶手段と、
この第１の記憶手段に記憶されている予約情報を前記乗物内システムに送信する送信手段と、を有し、
前記乗物内システムは、
前記送信手段により前記乗物外システムから送信された予約情報を受信した場合に、当該乗物内の各座席の予約情報を記憶する第２の記憶手段と、
この第２の記憶手段により予約情報が記憶されている各座席の着席状況を検知する検知手段と、
前記第２の記憶手段に記憶されている予約情報と前記検知手段に検知された着席状況とに基づいて、各座席の予約状況と着席状況とを判断する判断手段と、
前記乗物内に設置され、前記判断手段により判断された各座席の状況に応じた表示内容を表示する表示手段と、有する、
ことを特徴とする案内システム。
【請求項１３】
乗物外に設けられる乗物外システムと乗物内に設置される乗物内システムとから構成される案内システムにおいて、
前記乗物外システムは、
前記乗物外で発券された座席指定券の情報を収集する収集手段と、
この収集手段により収集された座席指定券の情報に基づいて、各乗物ごとの予約情報を記憶する第１の記憶手段と、
この第１の記憶手段に記憶されている予約情報を前記乗物内システムに送信する送信手段と、を有し、
前記乗物内システムは、
前記送信手段により前記乗物外システムから送信された予約情報を受信した場合に、当該乗物内の各座席の予約情報を記憶する第２の記憶手段と、
この第２の記憶手段により予約情報が記憶されている各座席の着席状況を検知する検知手段と、
前記第２の記憶手段に記憶されている予約情報と前記検知手段に検知された座席の着席状況とに基づいて、各座席の予約状況と着席状況とを判断する判断手段と、
この判断手段により判断された各座席の状況を表示する表示手段と、
を具備することを特徴とする案内システム。
【請求項１４】
乗物外に設けられる乗物外システムと乗物内に設置される乗物内システムとから構成される案内システムにおいて、
前記乗物外システムは、
前記乗物外で発券された座席指定券の情報を収集する収集手段と、
この収集手段により収集された座席指定券の情報に基づいて、各乗物ごとの予約情報を記憶する第１の記憶手段と、
この第１の記憶手段に記憶されている予約情報を前記乗物内システムに送信する第１の送信手段と、
前記乗物内システムから更新情報を受信した際に、前記第１の記憶手段に記憶している予約情報を更新する第１の更新手段と、を有し、
前記乗物内システムは、
前記送信手段により前記乗物外システムから送信された予約情報を受信した場合に、当該乗物内の各座席の予約情報を記憶する第２の記憶手段と、
この第２の記憶手段により予約情報が記憶される各座席の着席状況を検知する検知手段と、
前記第２の記憶手段に記憶されている予約情報と前記検知手段に検知された座席の着席状況とに基づいて、各座席の予約状況と着席状況とを判断する判断手段と、
この判断手段により判断された各座席の状況を表示する表示手段と、
この表示手段により表示された各座席の状況に基づいて、当該乗物内の座席指定券を発券する発券手段と、
この発券手段により座席指定席を発券する際に、前記第２の記憶手段に記憶している予約情報を更新する第２の更新手段と、
この第２の更新手段により前記第２の記憶手段に記憶している予約情報を更新した場合、前記乗物外システムに前記発券手段により発券した座席指定席の座席を示す情報を更新情報として送信する第２の送信手段と、
を具備することを特徴とする案内システム。
【請求項１５】
乗物外に設けられる乗物外システムと乗物内に設置される乗物内システムとから構成されるシステムに用いられる案内方法であって、
前記乗物外で発券された座席指定券の情報を収集する収集手段と、
この収集手段により収集された座席指定券の情報に基づいて、各乗物ごとの予約情報を前記乗物外システム内の第１の記憶手段に記憶し、
前記第１の記憶手段に記憶されている予約情報を前記乗物内システムに送信し、
前記送信手段により前記乗物外システムから送信された予約情報を受信した場合に、当該乗物内の各座席の予約情報を前記乗物内システム内の第２の記憶手段に記憶し、
前記第２の記憶手段により予約情報が記憶されている各座席の着席状況を検知し、
前記第２の記憶手段に記憶されている予約情報と前記検知された着席状況とに基づいて、各座席の予約状況と着席状況とを判断し、
前記乗物内に設置される表示手段により、前記判断された各座席の状況に応じた表示内容を表示する、
ことを特徴とする案内方法。
【請求項１６】
乗物外に設けられる乗物外システムと乗物内に設置される乗物内システムとから構成されるシステムに用いられる案内方法であって、
前記乗物外で発券された座席指定券の情報を収集し、
この収集された座席指定券の情報に基づいて、各乗物ごとの予約情報を前記乗物外システム内の第１の記憶手段に記憶し、
前記第１の記憶手段に記憶されている予約情報を前記乗物内システムに送信し、
前記乗物外システムから送信された予約情報を受信した場合に、当該乗物内の各座席の予約情報を前記乗物内システム内の第２の記憶手段に記憶し、
前記第２の記憶手段に予約情報が記憶されている各座席の着席状況を検知し、
前記第２の記憶手段に記憶されている予約情報と前記検知された座席の着席状況とに基づいて、各座席の予約状況と着席状況とを判断し、
この判断された各座席の状況を表示手段により表示する、
ことを特徴とする案内方法。
【請求項１７】
乗物外に設けられる乗物外システムと乗物内に設置される乗物内システムとから構成されるシステムに用いられる案内方法であって、
前記乗物外で発券された座席指定券の情報を収集し、
この収集された座席指定券の情報に基づいて、各乗物ごとの予約情報を前記乗物外システム内の第１の記憶手段に記憶し、
前記第１の記憶手段に記憶されている予約情報を前記乗物内システムに送信し、
前記乗物外システムから送信された予約情報を受信した場合に、当該乗物内の各座席の予約情報を前記乗物内システム内の第２の記憶手段に記憶し、
前記第２の記憶手段に予約情報が記憶される各座席の着席状況を検知し、
前記第２の記憶手段に記憶されている予約情報と前記検知された座席の着席状況とに基づいて、各座席の予約状況と着席状況とを判断し、
この判断された各座席の状況を表示手段により表示し、
前記表示手段により表示された各座席の状況に基づいて、当該乗物内の座席指定券を発券し、
前記座席指定席を発券する際に、前記第２の記憶手段に記憶している予約情報を更新し、
前記第２の記憶手段に記憶している予約情報を更新した場合、前記乗物外システムに発券した座席指定席の座席を示す情報を更新情報として送信し、
前記乗物内システムから更新情報を受信した際に、前記第１の記憶手段に記憶している予約情報を更新する、
を具備することを特徴とする案内方法。
【手続補正２】
【補正対象書類名】明細書
【補正対象項目名】０００４
【補正方法】変更
【補正の内容】
【０００４】
【課題を解決するための手段】
この発明の案内システムは、乗物内に設置されるものにおいて、当該乗物内の各座席の予約情報を記憶している記憶手段と、この記憶手段により予約情報が記憶されている各座席の着席状況を検知する検知手段と、前記記憶手段に記憶されている予約情報と前記検知手段に検知された着席状況とに基づいて、各座席の予約状況と着席状況とを判断する判断手段と、前記乗物内に設置され、前記判断手段により判断された各座席の状況に応じた表示内容を表示する表示手段とから構成される。
【手続補正３】
【補正対象書類名】明細書
【補正対象項目名】０００５
【補正方法】変更
【補正の内容】
【０００５】
この発明の案内システムは、乗物内に設置されるものにおいて、当該乗物内の各座席の予約情報を記憶している記憶手段と、当該乗物に乗車した乗客が所持している券に記録されている情報を読み取る読取手段と、この読取手段により乗客が所持している券から読取った情報と前記記憶手段に記憶している予約情報とに基づいて、当該乗客が所持している券により乗車可能な座席の位置を案内する案内手段とから構成される。
【手続補正４】
【補正対象書類名】明細書
【補正対象項目名】０００６
【補正方法】変更
【補正の内容】
【０００６】
この発明の案内システムは、乗物内に設置されるものにおいて、当該乗物内の各座席の予約情報を記憶している記憶手段と、前記記憶手段により予約情報が記憶される各座席の着席状況を検知する検知手段と、前記記憶手段に記憶されている予約情報と前記検知手段に検知された座席の着席状況とに基づいて、各座席の予約状況と着席状況とを判断する判断手段と、この判断手段により判断された各座席の状況を表示する表示手段とから構成される。
【手続補正５】
【補正対象書類名】明細書
【補正対象項目名】０００７
【補正方法】変更
【補正の内容】
【０００７】
この発明の案内システムは、乗物内に設置されるものにおいて、時間を計時するタイマと、当該乗物内の各座席にそれぞれ設置され、着席している乗客に伝わる振動を発生する振動手段と、この振動手段が設置されている座席ごとに振動を発生させる時間を設定する設定手段と、この設定手段により振動を発生させる時間が設定されている場合、前記タイマが計時する時間に基づいて前記設定手段にて設定されている時間に達したか否かを監視する監視手段と、この監視手段により前記設定手段にて設定された時間に達したと判断した場合、当該座席に設置された前記振動手段により振動を発生させる制御手段とから構成される。
【手続補正６】
【補正対象書類名】明細書
【補正対象項目名】０００８
【補正方法】変更
【補正の内容】
【０００８】
この発明の案内システムは、乗物外に設けられる乗物外システムと乗物内に設置される乗物内システムとから構成されるものにおいて、前記乗物外システムは、前記乗物外で発券された座席指定券の情報を収集する収集手段と、この収集手段により収集された座席指定券の情報に基づいて、各乗物ごとの予約情報を記憶する第１の記憶手段と、各駅で発券された座席指定券に基づいて、各乗物ごとの予約情報を記憶する第１の記憶手段と、この第１の記憶手段に記憶されている予約情報を前記乗物内システムに送信する送信手段とを有し、前記乗物内システムは、前記送信手段により前記乗物外システムから送信された予約情報を受信した場合に、当該乗物内の各座席の予約情報を記憶する第２の記憶手段と、この第２の記憶手段により予約情報が記憶されている各座席の着席状況を検知する検知手段と、前記第２の記憶手段に記憶されている予約情報と前記検知手段に検知された着席状況とに基づいて、各座席の予約状況と着席状況とを判断する判断手段と、前記乗物内に設置され、前記判断手段により判断された各座席の状況に応じた表示内容を表示する表示手段と有する。
【手続補正７】
【補正対象書類名】明細書
【補正対象項目名】０００９
【補正方法】変更
【補正の内容】
【０００９】
この発明の案内システムは、乗物外に設けられる乗物外システムと乗物内に設置される乗物内システムとから構成されるものにおいて、前記乗物外システムは、前記乗物外で発券された座席指定券の情報を収集する収集手段と、この収集手段により収集された座席指定券の情報に基づいて、各乗物ごとの予約情報を記憶する第１の記憶手段と、この第１の記憶手段に記憶されている予約情報を前記乗物内システムに送信する第１の送信手段と、前記乗物内システムから更新情報を受信した際に、前記第１の記憶手段に記憶している予約情報を更新する第１の更新手段とを有し、前記乗物内システムは、前記送信手段により前記乗物外システムから送信された予約情報を受信した場合に、当該乗物内の各座席の予約情報を記憶する第２の記憶手段と、この第２の記憶手段により予約情報が記憶される各座席の着席状況を検知する検知手段と、前記第２の記憶手段に記憶されている予約情報と前記検知手段に検知された座席の着席状況とに基づいて、各座席の予約状況と着席状況とを判断する判断手段と、この判断手段により判断された各座席の状況を表示する表示手段と、この表示手段により表示された各座席の状況に基づいて、当該乗物内の座席指定券を発券する発券手段と、この発券手段により座席指定席を発券する際に、前記第２の記憶手段に記憶している予約情報を更新する第２の更新手段と、この第２の更新手段により前記第２の記憶手段に記憶している予約情報を更新した場合、前記乗物外システムに前記発券手段により発券した座席指定席の座席を示す情報を更新情報として送信する第２の送信手段と有する。